(57)【要約】      （修正有）【課題】長尺な１枚のシートによって形成するとともに上部の開口部および底部は大きく広げることが可能な買物用バッグの袋体及び重なり合う厚さ少なくして折り畳んでも偏平、小型にすることができ、軽くて持ち運びが容易な買物用バッグを提供する【解決手段】一枚の長尺なシートを二つ折りとし、両側を縫着８して片側を開口するとともに下部両側に三角形状の支持片１２を対称に形成した方形状袋を裏返し、袋の内側に支持片１２を水平かつ対称に位置させて底面を形成する袋体２であり、この袋体２の両袋面３ａ、３ｂ上端に一対の手提げ片４を取り付け、片側の袋面３ａの中央上端に連設した細長い固定片５の先端内側に面ファスナーの係止片６を設け、袋面３ａの表面中央部に係止片６と係止可能な係止片７を設けたものである。【選択図】図１
0003141461.tif 000002
【実用新案登録請求の範囲】
【請求項１】
１枚の長尺なシートを二つ折りとし、両側を縫着８して片側を開口するとともに縫着線８にそった下部両側に三角形状の支持片１２を対称に形成した方形状袋９を裏返し、袋９の内側に支持片１２を対称に水平に位置させて底面１３を形成することを特徴とする買物用バッグの袋体。
【請求項２】
袋９は、布、合成樹脂、合成皮革等の適度の柔軟性と丈夫さを有する材質から成る請求項１に記載する買物用バッグの袋体。
【請求項３】
１枚の長尺なシートを二つ折りとし、両側を縫着８して片側を開口するとともに縫着線８にそった下部両側に三角形状の支持片１２を対称に形成した方形状袋９を裏返し、袋９の内側に支持片１２を対称に水平に位置させて底面１３を形成する袋体２の両袋面３ａ、３ｂ上端に一対の手提げ片４を取り付け、片側の袋面３ａの中央上端に連設した細長い固定片５の先端内側に面ファスナーの係止片６を設け、袋面３ａの表面に係止片６と係止可能な係止片７を設けたことを特徴とする買物用バッグ。
【請求項４】
袋９は、布、合成樹脂、合成皮革等の適度の柔軟性と丈夫さを有する材質から成る請求項３に記載する買物用バッグ。
【考案の詳細な説明】
【技術分野】
【０００１】
本考案は買物用バッグの袋体及び買物用バッグに関し、特に、一枚の長尺なシートを縫製加工して形成した袋体及び折り畳んで携帯可能であり、日常の買物に使用して便利な買物用バッグに関するものである。
【背景技術】
【０００２】
スーパーマーケットやコンビニエンスストアのようなセルフサービスで商品を購入する店舗や一般商店で商品を購入する場合、購入する商品は店側が用意するプラスチック製の買物かごに入れ、レジカウンターで精算をする。その際、購入した商品はビニールフィルム製のレジ袋に移し変えられ、客はそのまま持ち帰るようになる。
【０００３】
家に持ち帰った商品は、冷蔵庫や他の場所に移し変えて保管するが、レジ袋はそのまま廃棄するかゴミ入れに使用してゴミと共に廃棄され、有効活用されていないのが現状であり、貴重な資源を無駄にしていた。
【０００４】
近年、レジ袋を無駄に消費することを防ぎ、資源を有効に活用するためにレジ袋の有料化が図られているが、いまだ広く普及していない。レジ袋の有料化に変え、客がエコバッグあるいはマイバッグと称するバッグを持参し、レジ袋を使用することなく商品を購入することが普及しつつある。
【０００５】
しかし、店舗や商店に商品を購入するために出かける時、空のバッグは軽くて安定性がなくかえって持ち難く、体裁が悪いものである。そこで、使用していないバッグは適当に折り畳んで持ち運ぶが、折り畳み方によっては嵩んで持ちづらいものである。
【０００６】
折り畳み可能なバッグとして実開平５−３５６７０号公開実用新案公報に記載される買物袋がある。この買物袋は、同じサイズの２枚のシート１、１の３辺を縫合し、両側辺の縫合線４に沿って襠５を形成し、襠５の下端は袋下底側辺６ａに縫合すると共に上端には取手片３を連続して形成する。そして、両シート１、１上辺のフラップ片２ａ，２ｂのうち長い方のフラップ片２ｂの内側に面ファスナの係止片７を形成し、また、フラップ片２ｂの外側下方に受片９を設けたものである。
【０００７】
買物袋はこのような構成を有しているので、買物袋として購入した商品を収容し、通常のバッグと同じように使用できる。
買物に出かける際には折り畳んで持ち運びが可能である。折り畳みに際しては、買物袋の底に設けた一対のつまみ１０と取手片３とをつまんで引き合えば襠５は縫合線４に沿って内側に折り込まれ、下底６がフラットになる。
【０００８】
このように平面状に折畳んだ後に折線１１に沿って左右を縦折りし、縦長に折られた袋を長さの半分、更に半分に折畳み、係止片７と受片９とを係止させれば折り畳み状態を維持することができる。
【特許文献１】実開平５−３５６７０号公開実用新案公報
【考案の開示】
【考案が解決しようとする課題】
【０００９】
しかし、上記する買物袋では重ね合わせた２枚のシート１、１の三方を縫合線４で縫い合わせ、両側辺の縫合線４に沿って襠５を形成し、その上端に取手片３を形成したので、買物の際には両取手片３を持ってぶら下げるために袋全体が上方へ先細り状となる。このために２枚のシート１、１の上部開口部は狭くなり、購入した商品を袋内に入れにくいものである。
【００１０】
更に、袋を折り畳む際には取手片３と下底６のつまみ１０を持って引っ張り、両側の縫合線４を内側に折り込む必要がある。折り込むことにより襠５が二重状態となるので縦に二つ折とすると襠５は四重となり重ねが厚くなる。
【００１１】
このような縦長な袋体を、縦方向に沿って二つ折に畳むと全体が更に分厚い状態となって持ち難く、ハンドバッグや洋服のポケットにも入れにくいものである。しかも、両側の縫合線４を中心にして襠５を形成する必要があり、袋としての構造が複雑なものとなり、単価が高くなっていた。
【００１２】
また、上記する先行技術の買物袋は、２枚のシート１、１の３辺を縫い合わせて形成するために、袋内に商品やその他の品物を収容した時、荷重が下底６にかかるため、長年の使用で下底６を縫い合わせている糸が重さによって切れ、商品や品物が抜け落ちる恐れがあった。
【００１３】
本考案は、上記する先行技術に示される従来の買物袋の問題点に鑑み、長尺な１枚のシートによって形成するとともに上部の開口部は大きく広げることができ、かつ、底部は水平に広げることが可能な買物用バッグの袋体を提供するものである。
また、本考案は、重なり合う厚さを小さくして折り畳んでも偏平、小型にすることができ、軽くて持ち運びが容易な買物用バッグを提供することを目的とするものである。
【課題を解決するための手段】
【００１４】
上記の目的を達成するために本考案買物用バッグの袋体は、１枚の長尺なシートを二つ折りとし、両側を縫着８して片側を開口するとともに縫着線８にそった下部両側に三角形状の支持片１２を対称に形成した方形状袋９を裏返し、袋９の内側に支持片１２を対称に水平に位置させて底面１３を形成するものである。
【００１５】
また、本考案買物用バッグは、１枚の長尺なシートを二つ折りとし、両側を縫着８して片側を開口するとともに縫着線８にそった下部両側に三角形状の支持片１２を対称に形成した方形状袋９を裏返し、袋９の内側に支持片１２を対称に水平に位置させて底面１３を形成する袋体２の両袋面３ａ、３ｂ上端に一対の手提げ片４を取り付け、片側の袋面３ａの中央上端に連設した細長い固定片５の先端内側に面ファスナーの係止片６を設け、袋面３ａの表面中央部に係止片６と係止可能な係止片７を設けたものである。
【００１６】
袋体２は、布、合成樹脂、合成皮革等の適度の柔軟性と丈夫さを有する材質から成るものである。
【考案の効果】
【００１７】
本考案買物用バッグの袋体２は、１枚のシートを縫製加工して袋９を形成し、また、袋９の下部両側に三角状の支持片１２を形成することにより袋９を裏返した時、水平状に相対する一対の支持片１２で底面１３を構成するので袋９内部を広く利用することが可能である。
【００１８】
しかも、１枚のシートを折り曲げ加工したので、２枚のシートを縫製してできる縫い目が底面１３にはなく、袋９内に収容した品物はシート面上に載るので、品物の重みで縫い目から破れることがなく堅牢である。特に、支持片１２は底面１３の内側方向に相対しているので、品物は支持片１２上に載り、底面１３は更に堅牢なものとなる。
【００１９】
上記のようにして形成した袋９の開口部両側に手提げ片４を設けることでぶら下げて持ち運ぶことができる。袋９の片側の袋面３ａの上端には先端に係止片６を有する固定片５を連設し、同じ袋面３ａの表面には係止片６に係止可能な係止片７を設けたので、袋９を係止片７とは反対側に交互に折り畳んで縦長な形状とし、更に、底部１３側から連続して２回折り曲げることで係止片７が上面に位置し、係止片６と係止片７とを結合することで携帯可能な買物用バッグとすることができる。
【００２０】
袋体２は、１枚のシートを使用するので、両側から２回折りし長尺体に折り畳んでも重ねた厚さが薄いものであり、更に、長尺体を二度折りとしても全体の厚さが薄いので小型、偏平なものとなり、ハンドバッグや洋服のポケットに入れて嵩張るものではない。
【考案を実施するための最良の形態】
【００２１】
以下、図面に従って本考案の実施の形態を詳細に説明する。
図１において符号１は本考案買物用バッグ本体を示し、上部を開口し、底部を水平に横方向へ広げることが可能な袋体２は、両側の袋面３ａ、３ｂの上端に取り付けたＵ字形状の一対の手提げ片４を持ってぶら下げ、持ち運びができる。
【００２２】
また、片側の袋面、例えば、袋面３ａの中央上端に連設した細長い固定片５の先端内側に面ファスナーの係止片６を設け、同じ袋面３ａの表面ほぼ中央部に面ファスナーの係止片７を設けてあるので、袋体２を偏平に小さく折り畳んだ時、両係止片６、７を合わせて結合することでバッグ本体１は折り畳み状態を維持することが出来る。
【００２３】
次に、バッグ本体１を形成する袋体２について説明する。
袋体２は、図２に示すように１枚の長尺なシートを中央で二つ折りとし、両側を縫着８して片側を開口した正方形あるいは長方形状の袋９を基本形体とし、開口端部は外側に折り返し、縫着して補強片１０とする。
【００２４】
次に、図３に示すように袋９の縫着線８にそった両側下部を二等辺三角形状に偏平に折り畳み、例えば、外方向へ水平状に突出させてその形状を維持し、両側三角体の底辺を縫着線８と直交する方向に縫着１１する。
【００２５】
このようにして袋８の下部両側に三角形状の支持片１２を対称に形成する。尚、袋８を形成するシートは、布、合成樹脂、合成皮革等の適度の柔軟性と丈夫さを有する材質から成るものを使用するのが望ましい。
【００２６】
上記のようにして形成した袋９は、全体を裏返して縫着線８や補強片１０等が袋９の内側に位置するようにする。更に、三角状支持片１２を袋９の内側に向け折り込み水平かつ対称に位置させる（図１及び図４参照）ことで袋９の底部には縫着線１１の長さ間隔の幅の長方形状の底面１３が形成され、両側の縫着８部分が外側に位置するので下から見た場合に全体形状が船形形状となる。
【００２７】
その後、前記した手提げ片４や固定片５及び係止片６、７等を取り付けて前記したバッグ本体１を完成する。完成したバッグ本体１は、買物に際して購入した商品を入れればよく、開口部は大きく広げることができるので商品の出し入れに不自由することはない。底面１３は、縫着線１１の長さ範囲で横方向に広がるので多くの品物を収容できる。従って、支持片１２の大きさで底面１３の大きさを変えることができる。
【００２８】
商品を収容した後は、袋面３ａとは反対側の袋面３ｂの表面に設けた面ファスナーの係止片１４と前記係止片６とを結合することで、開口部間に掛け渡した固定片５により開口部を閉じることができ、品物を安定して持ち運ぶことが可能である。
【００２９】
買物に出かける際にはバッグ本体１は小さく折り畳めば携帯に便利である。
折り畳むには図４に示す水平に広げた船形形状の底面１３の長さ方向にそった中央から二つ折りとし、袋体９全体を偏平状態とする。そして、両手提げ片４を重ねて前記係止片１４を設けた袋面３ｂ側に折り、図５に示すように手提げ片４の内側線４ａにそって袋体２の片側を内側（袋面３ｂ上）に折る。
【００３０】
次に、袋体２の反対側を手提げ片４の内側線４ａにそって折り、前記の折り曲げて上を向いた状態の袋面３ａ上に重ね合わせるようにし、図６に示すように袋面３ａの全面が表面を向く全体が長尺な形状とする。
【００３１】
そして、図７に示すように袋体２の底面１３側から３分の一の長さで折り曲げ、更に、二つ折りと二度折りすることで係止片７が上向きの状態となり、全体が偏平な方形体となる。尚、袋体２の両側は、手提げ片４の外側線４ｂに沿って折り曲げてもよく、内側線４ａあるいは外側線４ｂいずれにそって折り曲げてもよい。
【００３２】
折り畳むに際し、固定片５は方形体の片側に延びた状態となっているので、固定片５を方形体の上方に折り曲げ、図８に示すように固定片５の係止片６と係止片７とを係止して結合させれば、折り畳み状態を維持することができ、小型化して携帯に便利である。
【産業上の利用可能性】
【００３３】
本考案は、品物の出し入れが便利で買物に最適なバッグであり、偏平、小型に折り畳むことで携帯に便利なものである。そして、有効資源であるレジ袋を無駄に消費することがない。
【図面の簡単な説明】
【００３４】
【図１】本考案買物用バッグの斜視図である。
【図２】買物用バッグを形成する一枚のシートから縫製加工した袋の斜視図である。
【図３】袋の下部両側に支持片を形成した斜視図である。
【図４】裏返した袋の底面図である。
【図５】バッグの片側を折り畳む状態の斜視図である。
【図６】バッグの両側を折り畳んだ状態の斜視図である。
【図７】バッグの底面側から３分の一折り畳んだ状態の斜視図である。
【図８】バッグを小型に折り畳んだ状態の斜視図である。
【符号の説明】
【００３５】
１  買物用バッグ本体
２  袋体
３ａ  袋面
３ｂ  袋面
４  手提げ片
５  固定片
６  係止片
７  係止片
８  縫着線
９  袋
１０  補強片
１１  縫着線
１２  支持片
１３  底面
１４  係止片
【図１】
0003141461.tif 000003
【図２】
0003141461.tif 000004
【図３】
0003141461.tif 000005
【図４】
0003141461.tif 000006
【図５】
0003141461.tif 000007
【図６】
0003141461.tif 000008
【図７】
0003141461.tif 000009
【図８】
0003141461.tif 000010